(57)【特許請求の範囲】
【請求項１】
人とペットの快適共生住居において、屋内に長方形の天然芝のエリアを設け、防水構造の、天然芝の育成に必要な天然芝エリアの屋根から、太陽光、又はＬＥＤ照明の光と、日当たりの良いコの字形をした３つの壁の窓から太陽光を取り込む事により、マイナスイオンを発生させる事が出来る形状の天然芝エリアと、オゾン水の給水と水の残留分の排水路の設置、室温、湿度のコントロール設備を設け、上限の刈り込みに適正な芝丈に、天然芝のエリア枠の外側のレベルを、下限の刈り込みに適正な芝丈に、天然芝のエリア枠の内側のレベルを合わせる形状にした、上部の淵に２段の段差を設けた長方形の天然芝のエリア枠を使用し、刈り込み時期を簡単に見分けられるようにした事を特徴とする人とペットの快適共生住居。
【請求項２】
刈り込み時の刈り取り芝の除去を、上記の長方形の天然芝エリア枠と組み合せ設けた、双方向に掻ける、手動で双方向の平行移動を可能にした、櫛状の刈り取り芝の除去具と、一定量のオゾン水の給水具が一体となった、芝の手入れ用具を使用して、長方形の天然芝のエリア枠内の端に設けた側溝に落とし込み、簡単に手入れが行えるようにした事を特徴とした請求項１に記載の人とペットの快適共生住居。
【請求項３】
オゾン水を天然芝の給水に使用する事により、ペットの天然芝エリアでの排尿等の脱臭、殺菌、有害物質の除去を行い快適な共生を行う仕組みを設ける事を特徴とする請求項１に記載の人とペットの快適共生住居。
【発明の詳細な説明】
【技術分野】
【０００１】  本発明は、一つの住居内で人とペットが共に、天然芝のある自然環境に近い状態で快適に生活する事を目的とした住居に関するものである。
【背景技術】
【０００２】  従来の人とペットの共生を目的とする住居はペットのブラッシング、シャンプー、乾燥などのケアをより効率的に行う事を目的としたものや、屋外での芝生の利用に関するものが見られる。
【先行技術文献】
【特許文献】
【０００３】
【特許文献１】  特許第４１１９６６０号公報
【特許文献２】  特開２００４−２２２６０２公報
【発明の概要】
【発明が解決しようとする課題】
【０００４】  しかし、従来の人とペットの共生を目的とする住居においては、自然の中で快適にと言う課題が見られない。現在ますます増加し続けている高齢者とペットの生活、外出しようとしてもままならない身体の老化をかかえながら、少しでも自分の住居と言う限られた空間の中に、天然芝で光合成効果やマイナスイオンのある自然を自分の部屋に取り込んだ空間を設け、安心してペットとたわむれる事のできる快適な癒しの空間を求める声が多い。
【課題を解決するための手段】
【０００５】  自分の屋内に長方形の天然芝のエリアを設け、天然芝の生育に必要な天然芝エリアの屋根から、太陽光又はＬＥＤ照明の光と、防水構造の日当たりの良いコの字形をした３つの壁の大きな窓から太陽光を取り込む事が出来る形状の天然芝エリアと、オゾン水の給水と水の残留分の排水路を設け、天然芝を室内で生育するため、人口栽培の手法を用いる為の外気を取り込み、室温、湿度のコントロール設備を設け、上限の刈り込みに適正な芝丈に、天然芝のエリア枠の外側のレベルを、下限の刈り込みに適正な芝丈に、天然芝のエリア枠の内側のレベルを合わせる形状にし、上部の淵に２段の段差を設けた長方形の天然芝のエリア枠で天然芝の生育度合いによる、刈り込み時期を簡単に見分ける事が出来る様にし、上記課題を解決したものである。【０００６】  ここで、長方形の天然芝エリアのコの字形は３面の壁に設けた窓から、多くの太陽光を取込み、光合成効果により、ＣＯ２の吸収と、Ｏ２の供給と、大気汚染物質の除去と、マイナスイオンの生成などで室内の浄化をもくろみ、天然芝の生育をより効率的にする。【０００７】  また、オゾン水の給水については、天然芝育成ための水分供給にくわえ、ペットの糞、尿、雑菌の消臭、殺菌、脱色、有機物の低減を行い、天然芝による快適効果を増加させ、天然芝の育成、手入れの軽減をはかる。【０００８】  そして、２段の段差のある長方形の天然芝のエリア枠は、手入れを怠ると枯れてしまう、天然芝の刈り込みを要求される一定の芝丈に枠の外側のレベルを設定して於き、簡単に刈り込みのタイミングが分かる。その時点で刈り込みを行う。また、短く刈り過ぎても、天然芝の枯れる要因をつくる事になるので、エリア枠の内側のレベルを刈り込み過ぎてはならない芝丈のレベルに設定しておく事により、天然芝と快適に付き合う事が可能となる。【０００９】  刈り込み時の刈り取った芝をそのまま残しておくと、これもまた、天然芝の育成に大きな弊害をもたらす。これを出来るだけ簡単に除去するために、双方向に掻ける、手動で双方向の平行移動を可能にした、櫛状の刈り取り芝の除去具と、一定量のオゾン水の給水具が一体となった、芝の手入れ用具を使用して、長方形の天然芝のエリア枠内の端に設けた側溝に落とし込み、簡単に、刈り取り芝を回収可能にしたものである。【００１０】天然芝の品種の選択も、夏、冬通して育成できる、陽の当たる時間が長く必要な品種、そうでない品種があるので、該当住居の日照時間を測定、調査の上、最適な品種の天然芝を使用する。【００１１】  オゾン水の不均等な給水や、やりすぎを防止するために、双方向に移動できるローラー使用の一定量のオゾン水をシャワー状に給水可能にした。
【発明の効果】
【００１２】本発明の人とペットの快適共生住居は、ますます増加してくる事が予想される、高齢者社会の中でペットとの共生により、少しでも穏やかな時間と空間を一つの手段として提供する。【００１３】具体的には、より多くの太陽光を取込み、光合成効果により、ＣＯ２の吸収と、Ｏ２の供給と、大気汚染物質の除去と、マイナスイオンの生成などの大気の浄化等を行う事により、自分の住居の屋内にいながらして、自然の中の新鮮な空気をペットと共に吸いながら、やすらぎの時を過ごす事が出来る。ちなみに、人工芝ではこの様な効果は得られない。【００１４】課題の前面には出ていなかった、天然芝を選択した時に発生する、手入れの面倒さについては、出来るだけの軽減を図る為、オゾン水の使用により、天然芝育成ための水分供給にくわえ、ペットの糞、尿、雑菌の消臭、殺菌、脱色、有機物の低減の効果をもちいて、天然芝による快適効果を増加させ、天然芝の育成、手入れの軽減をはかる。【００１５】  刈り取り芝の除去具と、一定量のオゾン水の給水具が一体となった、芝の手入れ用具を提供して、手入れの軽減をはかる。【００１６】また、刈り込み作業の時に発生する、刈り取った芝などの除去についても、長方形の天然芝エリア枠と組み合せ設けた、双方向に掻ける、手動で双方向の平行移動を可能にした、櫛状の刈り取り芝除去具で掻いて、長方形の天然芝のエリア枠内の端に設けた側溝に落とし込みなどの手入れ作業の改善を行う事により負担を軽減した。【００１７】そして、素人では面倒に思える、刈り込み時期、刈り込みの丈についても、２段の段差のある長方形の天然芝のエリア枠を利用し、一定の芝丈に枠の外側のレベルを設定して於き、簡単に刈り込みのタイミングが分かる。また、短く刈り過ぎても、天然芝の枯れる要因をつくる事になるので、エリア枠の内側のレベルを刈り込み過ぎてはならない芝丈のレベルに設定しておく事により、天然芝と快適に付き合う事により、天然芝を育てる楽しみと変わり、当初の課題を解決する事ができる。【００１８】くわえて、天然芝を屋外で生育する場合には、夏と冬の温度差、湿度差などの問題があり、品種の多い天然芝をもってしても、通年通して育成する事は、一般家庭では２種類の芝を夏と冬で使い分けるなど、かなり困難な作業を要求されるが、屋内では、光の取り込みと温度と湿度と給水と、施肥と手入れを行えば、一定期間は枯らす事なく育てる事ができる。この事による愛着なども発生する事から、精神的にも本発明の当初の課題の解決の助けにもなる。
【図面の簡単な説明】
【００１９】
【図１】  本発明の全体の平面図である。（実施例１）
【図２】  図１のＡ−Ａ断面図である。
【図３】  図２のＢ−Ｂ断面図である。
【図４】  本発明のコの字形の天然芝エリアの概要図である。
【発明を実施するための形態】
【００２０】以下、図により、本発明の、人とペットの快適共生住居について説明する。
【実施例１】
【００２１】図１は、人とペットの快適共生住居の平面図の一例を示す。【００２２】図１に示したように、１７のコの字形をした、天然芝エリアを同一住居内に設ける。１のペットの小屋や、１０の芝の手入れを軽減するための、刈り取り芝の除去具と給水具を一体化した用具を備える。【００２３】図２は図１のＡ−Ａ断面を示し、天然芝の芝丈が高く成り過ぎないように手入れ時期の管理用に、３の天然芝エリア枠の外側枠を設けた事を示した。また、刈り込み防止の為に、４の天然芝エリア枠の内側枠を設けた。そして、手入れ作業を軽減する為に、コロを取り付けて移動可能にした、３３の刈り取り芝の除去用の櫛が取り付けられた、１０の刈り取り芝の除去具と給水具を一体化した用具を備えている事を示した。また、除去された刈り取り済の芝や異物が、６の天然芝エリア枠の内の側溝に集められた事を示した。【００２４】図３は図２のＢ−Ｂ断面を示し、１０の刈り取り芝の除去具と給水具を一体化した用具の詳細を示した。２９の刈り取り芝の除去具と給水具を一体化した用具のコロを使用する事により、簡単に刈り取り芝の除去や、２８の給水シャワーが上部に貯められた、３１の給水具の中のオゾン水が、３２の給水具の中のオゾン水の開閉バルブを通してシャワー状に給水される状態を示した。【００２５】図４は８の天然芝育成の為の１７のコの字形天然芝エリアに太陽光をより多く取り込む形状の概要を示した。
【産業上の利用可能性】
【００２６】ますます増加傾向にある高齢者とペットとの生活で、自然の中での癒しの空間に近い状態を、自分の住居内に持ちたいと言うニーズにこたえる為に、この技術を提供する。
【符号の説明】
【００２７】１    ペットの小屋
２    天然芝エリアの屋根の天窓、又は天井のＬＥＤ照明
３    天然芝エリア枠の外側枠
４    天然芝エリア枠の内側枠
５    天然芝の植え込みエリア
６    天然芝エリア枠の内の側溝
７    ペット
８    天然芝
９    天然芝エリアの窓
１０  刈り取り芝の除去具と給水具を一体化した用具
１１  天然芝エリアと居間の仕切りドア
１２  居間
１３  台所
１４  廊下
１５  玄関
１６  バス、トイレ
１７  コの字形天然芝エリア
１８  人
１９  刈り取られた芝
２０  天然芝エリア枠
２１  コの字形天然芝エリアのフロア
２２  コの字形天然芝エリアの屋根
２３  コの字形天然芝エリアの基礎
２４  天然芝の床
２５  給水用パイプ
２６  天然芝の芝丈の刈り込み上限レベル
２７  天然芝の芝丈の刈り込み下限レベル
２８  給水シャワー
２９  刈り取り芝の除去具と給水具を一体化した用具のコロ
３０  刈り取り芝の除去具と給水具を一体化した用具の給水口
３１  給水具の中のオゾン水
３２  給水具の中のオゾン水の開閉バルブ
３３  刈り取り芝の除去用の櫛
３４  培養土
【要約】
【課題】  人とペットが快適に共生できる住居を提供する。
【解決手段】  天然芝が育成できる、コの字形天然芝エリア（１７）を住居内に設け、天然芝を育成する事により、室内にマイナスイオンを発生させ、オゾン水を天然芝の育成に用いる事により、ペットの臭いの脱臭、殺菌等を行い、人（１８）とペット（７）の快適な共生ができるように、手入れ作業を軽減するために、刈り取り芝の除去具と給水具とを一体化した用具（１０）を備えた。
【選択図】図１【図１】
0005162735.tif 000002
【図２】
0005162735.tif 000003
【図３】
0005162735.tif 000004
【図４】
0005162735.tif 000005